(57)【要約】      （修正有）【課題】ガスメーター本体からの膜の不意な離脱を防止し、該膜側に固定した軸受から翼軸への力の伝わり方を膜の往動時と復動時とにおいて均一にする。【解決手段】メーター本体前後の計量室内に翼軸２０の一部を突入し、翼１３に軸受１６を連結し、膜７を挟持した一対の膜板１５に軸受１６を固定し、翼１３はその先部における上部と下部に短軸１７ａ，１７ｂを突出し、また軸受１６はコ字状をなし、上下に対向する各係合片２２ａ，２２ｂはＣ字状とし、前記両短軸１７ａ，１７ｂをそれぞれ係合する切欠１９ａ，１９ｂを有した軸通し穴を形成する。前記各切欠１９ａ，１９ｂのうち切欠１９ａは、短軸１７ａによる軸通し穴１８ａの貫通方向への差込みが可能である共に、該短軸１７ａの切欠１９ａからの抜け出しが不能な幅に形成してあり、また他方側の切欠１９ｂは、短軸１７ｂをスナップ式に着脱できる幅に形成する。【選択図】図１
2005221319.tif 000002
【特許請求の範囲】
【請求項１】
メーター本体（１）の前後に計量室（５，６）を有し、各計量室（５，６）内に翼軸（２０）の一部を突入し、該翼軸（２０）に固定した翼（１３）が前後に揺動し、さらに翼（１３）に軸受（１６）を連結し、膜（７）を挟持した一対の膜板（１５）に軸受（１６）を固定し、各計量室（５，６）内を膜（７）が往復運動する膜式ガスメーターの膜支持構造であって、
翼（１３）は、その先部における上部と下部にそれぞれ相反する方向に短軸（１７ａ，１７ｂ）を突出し、
また軸受（１６）はコ字状をなし、上下に対向する各係合片（２２ａ，２２ｂ）には、前記両短軸（１７ａ，１７ｂ）をそれぞれ係合する各軸通し穴（１８ａ，１８ｂ）は切欠（１９ａ，１９ｂ）を有したＣ字状に形成し、
前記各切欠（１９ａ，１９ｂ）のうち、いずれか一方側の切欠（１９ａ）は、短軸（１７ａ）による軸通し穴（１８ａ）の貫通方向への差込みが可能である共に、該短軸（１７ａ）の切欠（１９ａ）からの抜け出しが不能な幅に形成してあり、また他方側の切欠（１９ｂ）は、短軸（１７ｂ）をスナップ式に着脱できる幅に形成していることを特徴とする膜式ガスメーターの膜支持構造。
【請求項２】
前記各切欠（１９ａ，１９ｂ）は、両短軸（１７ａ，１７ｂ）の往復動方向と相違する箇所に設けていることを特徴とする請求項１記載の膜支持構造。
【発明の詳細な説明】
【技術分野】
【０００１】
本発明は計量手段として、膜の往復運動を翼の揺動運動に変える機構を有する膜式ガスメーターの膜支持構造に関する。
【背景技術】
【０００２】
従来の膜式ガスメーターの作動原理を説明すると、まず図１１に示すように、ガスがメーター本体１の入口２よりバルブ３、分配室４を通過して、前後の計量室５，６の一方に突入し、さらに各計量室５，６は膜７によって前部屋８，９、後部屋１０，１１に仕切ってあり、このうち、ガスが突入した部屋は圧力差によって膜７が移動して広くなり、一方、膜７の移動によって狭くなった部屋のガスが再度、分配室４、バルブ３を経て出口１２に排出される。また、膜７の往復運動は図２に示すように、ガスが突入した計量室５，６内の翼１３の揺動運動に変えられた後に計量室５，６外のリンク機構１４に伝えられ、最終的にメーター支持部（図示省略）が駆動する。さらに、図１２の（イ）から（ニ）に示すようにリンク機構１４の動きに伴ってバルブ３が所定角度に回転すると、バルブ３と分配室４との連通の仕方が変わり、入口２に連通する計量室５，６の部屋が切り換わると共に、出口１２に連通する部屋が切り換わる。従って、ガスの使用によってガスの出入りする部屋が図１２の（イ）、（ロ）、（ハ）、（ニ）の順番に変わり、それに伴って、前後の膜７が順々に往復運動することになり、ガスの計量が行われる。
尚、図１１と図１２の各図は対応している。
【０００３】
ここで膜７の往復運動は前述したように、翼１３の揺動運動を変えられるが、該膜７の支持構造は図１３乃至図１５に示すように、膜７を挟持する一対の膜板１５，１５に軸受１６を固定し、翼１３の先の短軸１７ａ，１７ｂに軸受１６を嵌め合わせて係合した構造となっている。また、軸受１６の軸通し穴１８ａ，１８ｂがほぼＣ字状をなしていた。
【０００４】
ここで使用される軸受１６は一般に、両短軸１７ａ，１７ｂをそれぞれスナップ式に押し込んで嵌め合わせられるように、該軸受１６の上下に設けている両軸通し穴１８ａ，１８ｂにおいて、双方が着脱可能となる切欠を上下同一の幅でそれぞれ設けているものであった。このようにすると、軸受１６と翼１３の短軸１７ａ、１７ｂとのそれぞれの係合状態が弱く、例えば、ガスメーターの現場設置時や或いは搬送途中等に外部からの強い衝撃が加わった場合には、軸受１６から短軸１７ａ，１７ｂが不意に離脱する不都合があった。また軸受１６は、膜７の運動を短軸１７ａ，１７ｂに伝える役割を果たすので、その軸通し穴１８ａ，１８ｂの形状が短軸１７ａ，１７ｂの動きを左右することになる。そして従来の軸通し穴１８ａ，１８ｂの形状は、軸受１６と短軸１７ａ，１７ｂとの嵌め合わせを容易とするために、各切欠１９ａ，１９ｂの幅をある程度広く形成しており、しかも、両短軸１７ａ，１７ｂの往復する方向と一致する位置に前記切欠１９ａ，１９ｂに短軸１７ａ，１７ｂが当たり、これが翼１３側に伝達した場合には、翼１３揺動時のがたつきが大きくなり、結果的に、計量誤差が生じる問題点があった。
【特許文献１】特開２００３−１４５２１号公報（第１頁目、図１）
【発明の開示】
【発明が解決しようとする課題】
【０００５】
本発明は、ガスメーター本体からの膜の不意な離脱を防止し、しかも、該膜側に固定した軸受から、翼軸への力の伝わり方を、膜の往動時と復動時とにおいて均一にすることを目的としている。
【課題を解決するための手段】
【０００６】
本発明のうち請求項１記載の発明は、メーター本体の前後に計量室を有し、各計量室内に翼軸の一部を突入し、該翼軸に固定した翼が前後に揺動し、さらに翼に軸受を連結し、膜を挟持した一対の膜板に軸受を固定し、各計量室内を膜が往復運動する膜式ガスメーターの膜支持構造であって、翼は、その先部における上部と下部にそれぞれ相反する方向に短軸を突出し、また軸受はコ字状をなし、上下に対向する各係合片には、前記両短軸をそれぞれ係合する各軸通し穴は切欠を有したＣ字状に形成し、前記各切欠のうち、いずれか一方側の切欠は、短軸による軸通し穴の貫通方向への差込みが可能である共に、該短軸の切欠からの抜け出しが不能な幅に形成してあり、また他方側の切欠は、短軸をスナップ式に着脱できる幅に形成していることを特徴とする。
【０００７】
軸通し穴に設ける切欠の形状は、軸通し穴の貫通方向に沿って一直線状の切り込みを設けるものが一般的であるが、例えば、波形をなすものであってもよく、その形状を特に限定するものではない。また両切欠の幅は、一方側を他方側よりも狭く形成するが、具体的な切欠の幅としては、一方はスナップ式に着脱できる程度とし、他方は、軸通し穴に短軸を嵌め合わせた際に容易に外れない程度の幅であればよい。
【０００８】
そして上記のように形成されたガスメーターは、一方の翼の短軸を切欠の幅の狭い方の軸通し穴に差し込んでいることで、不意な外力では容易に外れない構造となっており、また他方の翼軸は、切欠の幅を広くした軸通し穴に対して、スナップ式に嵌め合わせができ、これにより、切欠の幅の狭い方に短軸を差し込んだ後に、幅の広い方にスナップ式に嵌め込む手順をとることで、翼と膜との着脱が容易となる。
【０００９】
また本発明のうち請求項２記載の発明では、前記各切欠は、両短軸の往復動方向と相違する箇所に設けているので、膜の往復動時に両短軸が各切欠に当たらず、この結果、当該各切欠による僅かな凹みによる両短軸のがたつきが生じない。
ここで切欠を設ける箇所は、膜の往復動の際に、両短軸の往復動方向と一致しない箇所であれば、係合片のどこに設けてもよい。
【発明の効果】
【００１０】
本発明のうち請求項１記載の発明によれば、上下それぞれの軸通し穴の一方の切欠の幅を短軸の抜け出しが不能となるように狭く、そして、他方の切欠の幅を短軸がスナップ式に嵌め込まれるように広く形成しているので、翼と軸受との係合がしやすく、しかも、翼が軸受から容易に離脱しにくい構成となるので、ガスメーター設置時、あるいは該ガスメーターの搬送時等においてもしっかりと係合状態を保つ。
【００１１】
本発明のうち請求項２記載の発明によれば、請求項１記載の発明の効果に加えて、膜の往復運動時に両短軸が軸通し穴の切欠によってできた凹みに当たらないので、膜の往復運動時のがたつきが生じず、この結果、一層の計量精度の向上が見込まれる。
【発明を実施するための最良の形態】
【００１２】
以下、本発明の膜式ガスメーターの膜支持構造を各図面に基づいて説明する。
尚、従来例と共通する構成要素には同一の符号を付けるものとする。
【００１３】
まず膜支持構造は、膜７の往復運動を翼１３の揺動運動に変えるもので、図９又は図１０に示すように、計量室５，６外から計量室５，６内に翼軸２０の一部を突入し、翼軸２０に翼１３を固定し、翼１３の先の短軸１７ａ、１７ｂに軸受１６を係合し、一対の膜板１５，１５に挟持された膜６に軸受１６を固定している。
尚、翼軸２０の上部はリンク機構１４に固定されており、翼軸２０の回転に伴ってリンク機構１４が動く構造となっている。
【００１４】
そして軸受１６は図５に示すように、仲介片２１の上下から係合片２２を横向きに突出したコ字状となっており、両係合片２２ａ，２２ｂにＣ字状をなす軸通し穴１８ａ，１８ｂを対向して開け、膜７側に固定する雄ネジ２３を仲介片２１の中間高さ部分から係合片２２ａ，２２ｂとは反対側に向けて突出している（図４参照）。また、図４に示すように雄ネジ２３にねじ込んだナット２４と仲介片２１の間に、膜板１５，１５に挟持された膜７を固定する。
【００１５】
また翼１３は図１乃至図４に示すように、平面視すると膜７の皿形状に合わせて屈曲しており、図６のように翼軸２０側よりも先部側が低くなっており、先部に係合した軸受１６が膜７の中央部に配置される（図９参照）。先部の縦桟２７の上側と下側には、それぞれ短軸１７ａ，１７ｂが相反する方向、つまり上側の短軸１７ａは縦桟２７から上方に向けて、一方、下側の短軸１７ｂは縦桟２７から下方に向けてそれぞれ突出している。さらに、上側の短軸１７ａの先端はテーパ状に細くなっており、軸通し穴１８ａへの差し込みが容易なものとなっている。
【００１６】
翼１３に軸受１６を係合する場合はまず図７（イ）のように、軸受１６の上側の係合片２２ａの軸通し穴１８ａを、翼１３における縦桟２７の上側の短軸１７ａに下方側から差し込み、次いで図７（ロ）のように、下側の係合片２２ｂの軸通し穴１８ｂに下側の短軸１７ｂをスナップ式に嵌め込む手順をとる。そして図７（ハ）のように、上側の短軸１７ａを基点にして、そのまま下側の軸通し穴１８ｂの切欠１９ｂに向けて下側の短軸１７ｂを押し込むことで、上側の係合片２２ａにおいては、短軸１７ａが係合片２２ａの弾性を利用して軸通し穴１８ａの切欠１９ａを僅かに押し広げるので、図７（ニ）のように、下側の軸通し穴１８ｂと短軸１７ｂとが切欠１９ｂを介してスナップ式に嵌め込まれ、翼１３と軸受１６との係合がなされる。
【００１７】
また、各軸通し穴１８ａ，１８ｂに係合された両短軸１７ａ，１７ｂのうち、まず上側の短軸１７ａと軸通し穴１８ａとの係合状態は図８（イ）のように、切欠１９ａの幅が狭いために、該切欠１９ａからの短軸１７ａの離脱が不能となっている。次に、下側の短軸１７ｂと軸通し穴１８ｂとの係合状態は図８（ロ）のように、短軸１７ｂの軸径を切欠１９ｂの幅よりも僅かに大きく形成し、切欠１９ｂの幅が上側の切欠１９ａに比べて広く形成してある。従って、係合する際には、係合片２２ｂの有する弾性によって切欠１９ｂの周辺部分が一時的に変形し、短軸１７ｂが軸通し穴１８ｂに嵌り込んでいる。さらに、切欠１９ａ，１９ｂの位置は、膜７の往復動方向と一致しない箇所に設けてある。また本実施形態では、図３に示すように翼軸２０側に向けて切欠１９ａ，１９ｂが設けてあることで、膜７の往復時における前記両短軸１７ａ，１７ｂと各切欠１９ａ，１９ｂとの当接がなく、この結果、膜７の往復運動の際のがたつきが生じないことから、高精度の計量が見込まれる。
【００１８】
次に膜７は、弾性を有する素材で皿状に形成され、その外周縁部を前後から挟持してシールし、挟持された部分以外がガスの圧力によって前後に往復運動する。また、膜７と膜板１５の中央部には、軸受１６の雄ネジ２３を通す抜穴（図示は省略）が開けてある。
【図面の簡単な説明】
【００１９】
【図１】本発明の膜式ガスメーターの膜支持構造の縦断面図である。
【図２】同じく、本発明の膜式ガスメーターの膜支持構造の縦断面図である。
【図３】本発明の膜式ガスメーターの膜支持構造の横断面図である。
【図４】図３中Ａを拡大して示す説明図である。
【図５】本発明の膜式ガスメーターの軸受を示す斜視図である。
【図６】本発明の膜式ガスメーターの翼を示す側面図である。
【図７】（イ）（ロ）（ハ）（ニ）は翼の短軸と軸受との係合の手順を示す説明図である。
【図８】（イ）は、図７（ニ）中のＣ−Ｃ線横断面図。（ロ）は、図７中のＤ−Ｄ線横断面である。
【図９】本発明の膜式ガスメーターの全体を示す一部を切欠した正面図である。
【図１０】本発明の膜式ガスメーターの全体を示す一部を切欠した側面図である。
【図１１】（イ）（ロ）（ハ）（ニ）はガスの出入りする部屋が切り換わることを示す断面図である。
【図１２】（イ）（ロ）（ハ）（ニ）はリンク機構の動き及びバルブの回転運動と翼の揺動運動との関係を示す説明図である。
【図１３】従来の膜式ガスメーターの膜支持構造を示す横断面図である。
【図１４】（イ）は、従来の膜式ガスメーターの翼の側面図。（ロ）は（イ）中のＢ−Ｂ線断面図である。
【図１５】従来の膜式ガスメーターの膜支持構造の翼と軸受とを分解した平面図である。
【符号の説明】
【００２０】
１  メーター本体
５，６  計量室
７  膜
１３  翼
１５  膜板
１６  軸受
１７ａ，１７ｂ  短軸
１８ａ，１８ｂ  軸通し穴
１９ａ，１９ｂ  切欠
２０  翼軸
２２ａ，２２ｂ  係合片
【図１】
2005221319.tif 000003
【図２】
2005221319.tif 000004
【図３】
2005221319.tif 000005
【図４】
2005221319.tif 000006
【図５】
2005221319.tif 000007
【図６】
2005221319.tif 000008
【図７】
2005221319.tif 000009
【図８】
2005221319.tif 000010
【図９】
2005221319.tif 000011
【図１０】
2005221319.tif 000012
【図１１】
2005221319.tif 000013
【図１２】
2005221319.tif 000014
【図１３】
2005221319.tif 000015
【図１４】
2005221319.tif 000016
【図１５】
2005221319.tif 000017